(57)【特許請求の範囲】
【請求項１】
その長手方向の一側縁部を、一側の縁端にいくにつれて薄肉化したゴムまたは合成樹脂材の略板状の屈曲片と、同屈曲片の他側縁部に、ゴムまたは合成樹脂軟質材の略板状の弾性片とを有してなる床パネル用気密材。
【請求項２】
屈曲片の一側縁部を弾性片から離れる方向へ屈曲させたことを特徴とする請求項１記載の床パネル用気密材。
【請求項３】
弾性片の一側縁部を屈曲片の一側の縁端と略同一位置まで延出させたことを特徴とする請求項１又は２記載の床パネル用気密材。
【請求項４】
請求項１乃至３のいずれか一つの請求項に記載の床パネル用気密材を、その弾性片側を大引と直交する土台の側面の長手方向に沿って固着させ、その屈曲片の一側縁部が屈曲するよう、床パネルを大引上面に設けたことを特徴とする床パネルの施工構造。
【発明の詳細な説明】
【０００１】
【発明の属する技術分野】
本発明は、木造建築物を気密化するに際して、床の施工時に床パネルと土台との接合部の気密化を行う床パネル用気密材及び床パネルの施工構造に関するものである。
【０００２】
【従来の技術】
省エネルギ住宅への関心の高まりに対応して、住宅等の木造建築物においてはその気密化のために、軸組部材である柱や梁部材等と建築用パネルとの接合部の気密化の方策が各種提案されている。また、床の施工構造においても、軸組の土台４と床パネルとの接合部において、例えば図５に示すように、土台４に設けられる、床パネル（図示せず）を受けるための木質の受け材７の上面に、弾力のある発泡樹脂または発泡ゴム製の気密テープ８を貼着していた。
【０００３】
したがって、この受け材７と大引６上面に床パネル９を支持させて隙間の気密化を行うことにより、比較的容易に木造建築物の気密化を図ることができる。
【０００４】
【発明が解決しようとする課題】
しかしながら、上記従来の技術においては、土台４に沿って上記受け材７を釘等の固定具を用いて設けるときに、長尺の受け材７を土台４と直交する大引の箇所で分断させる必要がある。そのため、受け材７である木材の寸法取り、切断等に手間がかかり、また、気密をより確実に行うために気密テープ８の貼着作業にも細心の注意を払う必要があった。そのため、床パネル９の施工に多くの時間を要するという問題があった。
【０００５】
本発明は、上記事由に鑑みてなしたもので、その目的とするところは、容易に土台に設けることができて短時間に床パネルの設置のできる床パネル用気密材及び床パネルの施工構造を提供することにある。
【０００６】
【課題を解決するための手段】
上記目的を達成するために、本発明の床パネル用気密材にあっては、その長手方向の一側縁部を、一側の縁端にいくにつれて薄肉化したゴムまたは合成樹脂材の略板状の屈曲片と、同屈曲片の他側縁部に、ゴムまたは合成樹脂軟質材の略板状の弾性片とを有してなることを特徴としている。
【０００７】
この構成にて、床パネル用気密材の弾性片を、土台の側面の長手方向に沿って密着させて固着し、床パネルを設置させて、縁端にいくにつれて薄肉化したその屈曲片の一縁を同床パネルの縁部に当接させて一側縁部を屈曲させ、床パネルに床パネル用気密材の一側縁部側をバネ性をもって密着できる。
【０００８】
そして、上記屈曲片の一側縁部を弾性片から離れる方向へ屈曲させることが好ましい。この場合、床パネルの縁部に、屈曲片の屈曲した一側先端部を当接させより屈曲させて密着できる。
【０００９】
また、上記弾性片の一側縁部を屈曲片の一側の縁端と略同一位置まで延出させることが好ましい。この場合、屈曲片が、ゴムまたは合成樹脂軟質材による弾性片の延出部を介して床パネルの縁部に当接させ密着される。
【００１０】
また、本発明の床パネルの施工構造にあっては、上記床パネル用気密材を、その弾性片側を大引と直交する土台の側面の長手方向に沿って固着させ、その屈曲片の一側縁部が屈曲するよう、床パネルを大引上面に設けることを特徴としている。
【００１１】
これにより、ゴムまたは合成樹脂材の略板状の屈曲片及び弾性片を有する床パネル用気密材を分断して、その弾性片側を大引と直交する土台の側面の長手方向に沿って固着させ、その屈曲片を大引上面に床パネルを設けると同時にその縁部に当接させて屈曲片の一側縁部側を床パネルに密着できる。
【００１２】
【発明の実施の形態】
図１乃至図４は、本発明の請求項１乃至４全てに対応する一実施の形態を示し、図１は、本発明の一実施の形態の床パネル用気密材を示す斜視図である。図２は、同床パネル用気密材の設置状態を示す説明図である。図３は、同床パネル用気密材を使用した床パネルの施工構造の説明図である。図４は、本発明の床パネル用気密材の、他の実施例を示す斜視図である。
【００１３】
この実施の形態の床パネル用気密材１は、その長手方向の一側縁部２ａを、一側の縁端２ｃにいくにつれて薄肉化したゴムまたは合成樹脂材の略板状の屈曲片２と、同屈曲片２の他側縁部２ｂに、ゴムまたは合成樹脂軟質材の略板状の弾性片３とを有してなる。
【００１４】
又、該実施の形態の床パネル用気密材１は、屈曲片２の一側縁部２ａを弾性片３から離れる方向へ屈曲させてもいる。
【００１５】
詳しくは、床パネル用気密材１は、木造建築物を気密化するに際して、床の施工時に、図２に示すように、土台４に設けられる床構成材である床パネル９と土台４との接合部の気密化を行うもので、この場合、ソリッド状ゴム材にて形成された屈曲片２とスポンジ状ゴム材にて形成された弾性片３とを備えている。
【００１６】
この屈曲片２は、例えば押し出し成形にて、その長手方向にわたって所定幅の一側縁部２ａを、縁端にいくにつれて薄肉化させ、さらに一側縁端２ｃを、後述する弾性片３から離れる方向へ屈曲するよう形成され、後述する弾性片３と同時に形成されている。したがって、その弾性片３を土台４の側面に固着させ床パネル９を大引６上面に設けたときに、屈曲片２の屈曲した縁端２ｃを当接させて床パネル９縁部にバネ性をもって密着しやすいものとなる。
【００１７】
この屈曲片２をゴム材にて形成することにより容易に分断させて土台４へ固着することができるが、ゴム材以外に、例えばＡＢＳ樹脂等の合成樹脂材、あるいはステンレス板の薄板状のものを用いても容易に分断可能でバネ性をもって床パネル９にバネ性をもって密着させることもできる。また、縁端２ｃにいくにつれて薄肉化することにて、土台４へ固着させ床パネル９に当接させて屈曲する際に、曲げ応力がその固着部分の一カ所に集中することなく分散させ屈曲させることが可能となり、安定してバネ性をもって密着しやすいものとなる。
【００１８】
弾性片３は、土台４に接合してその接合部の気密化を図るものである。この弾性片３は、上記のスポンジ状ゴム材による他、略してＥＰＴとも呼ばれるＥＰＤＭ（エチレン・プロピレン・ターポリマー材料）としてもよい。このＥＰＤＭは、耐久性、耐オゾン性に非常に優れたゴム材料で、スポンジ状とすることで弾力性とともに断熱性も向上させることができる。
【００１９】
この弾性片３は、上記による押し出し成形の他、例えば屈曲片２より小さい所定幅寸法でその両面にそれぞれ両面接着テープが貼着されてロール状に巻回されたテープ状シート材を、順次引き延ばされながら屈曲片２の他側縁部２ｂへ貼着させてもよい。なお、弾性片３の構成材料は、上記のＥＰＤＭ以外に、例えばシリコンゴム、クロロプレンゴム等の合成ゴムや天然ゴムであっても良く、また発泡ウレタンや発泡スチロール等の軟質合成樹脂であっても良い。
【００２０】
一方、この実施の形態の床パネルの施工構造は、床パネル用気密材１を、その弾性片３側を大引６と直交する土台４の側面の長手方向に沿って両面テープにて貼着したのち釘等の固定具を設けて固着させ、その屈曲片２の一側縁部２ａが屈曲するよう、床パネル９を大引６上面に設けている。具体的には、まず、長尺の床パネル用気密材１を、図３に示すように、土台４、柱５及び梁にて形成される木造建築物の軸組の、対向する土台４，４間に設けられる大引６，６間の離間寸法に略一致させて分断させる。次いで、分断された床パネル用気密材１を、土台４の側面の長手方向に沿って固着させた後、床パネル９の縁部を屈曲片２の一側の縁端２ｃに当接させてその一側縁部２ａを屈曲させながら大引６上面に設置する。すなわち、床パネル用気密材１の一側縁端２ｃ側が床パネル９の長手方向に沿ってバネ性をもって密着される。
【００２１】
なお、このとき、床パネル９の縁部に、上記屈曲片２の屈曲した一側縁部２ａが当接しさらに屈曲することとなって、より確実に密着させることができる。また、上記床パネル９の短手方向には、この場合、従来の技術に示したものの如く、受け材７を設けて気密テープ８を設けて支持させているが、床パネル用気密材１を土台４に固着させても良い。
【００２２】
したがって、以上説明した床パネル用気密材及び床パネルの施工構造によると、ゴムまたは合成樹脂材の略板状の屈曲片２及び弾性片３を有する床パネル用気密材１を分断して、その弾性片３側を大引６と直交する土台４の側面の長手方向に沿って固着させて床パネル９を設置させて、縁端にいくにつれて薄肉化したその屈曲片２の一縁を同床パネル９の縁部に当接させて、大引６上面に床パネル９を設けると同時に屈曲片２の一側縁部２ａを屈曲させ、床パネル９に床パネル用気密材１の一側縁部側をバネ性をもって密着できるので、容易に土台４に設けることができ、以て、短時間に床パネル９を設置することができる。
【００２３】
そして、床パネル９の縁部に、屈曲片２の屈曲した一側先端部である縁端２ｃを当接させより屈曲させて密着できるので、より確実に密着させることができる。
【００２４】
なお、本発明は、上記に示されたもの以外に、床パネル用気密材１は、例えば図３に示すように、弾性片３の一側縁部３ａを屈曲片２の一側の縁端２ｃと略同一位置まで延出させことも好ましい。この場合、屈曲片２が、ゴムまたは合成樹脂軟質材による弾性片３の延出部を介して床パネルの縁部に当接させ密着されるので、より確実に気密化させることができる。
【００２５】
【発明の効果】
本発明は、上述の実施態様の如く実施されて、請求項１及び４記載の床パネル用気密材及び床パネルの施工構造にあっては、床パネル用気密材の弾性片を、土台の側面の長手方向に沿って密着させて固着し、床パネルを設置させて、縁端にいくにつれて薄肉化したその屈曲片の一縁を同床パネルの縁部に当接させて一側縁部を屈曲させ、床パネルに床パネル用気密材の一側縁部側をバネ性をもって密着できるので、容易に土台に設けることができ、以て、短時間に床パネルを設置することができる。
【００２６】
また、請求項２記載の床パネル用気密材にあっては、床パネルの縁部に、屈曲片の屈曲した一側先端部を当接させより屈曲させて密着できるので、確実に密着させることができる。
【００２７】
また、請求項３記載の床パネル用気密材にあっては、屈曲片が、ゴムまたは合成樹脂軟質材による弾性片の延出部を介して床パネルの縁部に当接させ密着されるので、より確実に気密化される。
【００２８】
【図面の簡単な説明】
【図１】本発明の一実施の形態の床パネル用気密材を示す斜視図である。
【図２】同床パネル用気密材の設置状態を示す説明図である。
【図３】同床パネル用気密材を使用した床パネルの施工構造の説明図である。
【図４】本発明の床パネル用気密材の、他の実施例を示す斜視図である。
【図５】本発明の従来例である床パネルの施工構造の説明図である。
【符号の説明】
１    床パネル用気密材
２    屈曲片
２ａ  一側縁部
２ｂ  他側縁部
２ｃ  縁端
３    弾性片
３ａ  縁端
６    大引
９    床パネル
【図１】
0003654093.tif 000002
【図２】
0003654093.tif 000003
【図３】
0003654093.tif 000004
【図４】
0003654093.tif 000005
【図５】
0003654093.tif 000006